(57)【特許請求の範囲】
【請求項１】
天井クレーンのトロリーに設置されたロープ巻取装置によって吊下げられた取鍋吊上げ用の吊ビームと、
該吊ビームに設置された集塵機と、
前記吊ビームのフックに吊下げられた取鍋の上方空間を覆う形状の集塵カバーと、
前記集塵機に接続され、前記集塵カバー内の粉塵を吸うように設けられたダクトとからなる
ことを特徴とする取鍋用集塵装置。
【請求項２】
天井クレーンのトロリーに設置された第１のロープ巻取装置によって吊下げられた取鍋吊上げ用の第１吊ビームと、
前記トロリーに設置された第２のロープ巻取装置によって吊下げられた集塵機用の第２吊ビームと、
前記第１吊ビームのフックに吊下げられた取鍋の上方空間を覆う形状の集塵カバーと、
前記第２ビームに設置された集塵機と、
前記集塵機に接続され、前記集塵カバー内の粉塵を吸うように設けられたダクトとからなる
ことを特徴とする取鍋用集塵装置。
【請求項３】
前記集塵カバーが、取鍋吊下げ用の吊ビームに上端が取付けられ、下向きに伸縮自在な側面カバーと、該側面カバーの下端に連結されたロープを巻取るロープ巻取装置とからなる
ことを特徴とする請求項１または２記載の取鍋用集塵装置。
【請求項４】
前記側面カバーが、蛇腹式カバーである
ことを特徴とする請求項３記載の取鍋用集塵装置。
【発明の詳細な説明】
【０００１】
【発明の属する技術分野】
本発明は取鍋用集塵装置に関する。電気炉より出銑した溶銑の入った取鍋は、天井クレーンで吊上げられて搬送され、ノロ取り、注湯、湯戻しの各作業を行うが、本発明は、これらの各作業中に、取鍋から発生する粉塵を収集する集塵装置に関する。
【０００２】
【従来の技術】
従来の集塵機としては、特開平７−３２４８８０号公報、実開平３−２４３６１号公報、実開平７−４１３３８号公報に記載されたものがある。
これらの集塵機は、いずれも地上に設置されており、決められた場所でのみ取鍋から発生する粉塵を集塵するものである。
【０００３】
【発明が解決しようとする課題】
したがって、取鍋を天井クレーンで搬送している間は、集塵できず、また製鋼作業中（ノロ取り作業、注湯作業、湯戻し作業などの作業中）も直接集塵できないので、建屋内に粉塵が放散されていた。このため、作業環境が充分改善されないという問題があった。
【０００４】
本発明は上記事情に鑑み、天井クレーンでの搬送中や製鋼作業中でも、取鍋から放散される粉塵を集塵できる集塵装置を提供することを目的とする。
【０００５】
【課題を解決するための手段】
請求項１の取鍋用集塵装置は、天井クレーンのトロリーに設置されたロープ巻取装置によって吊下げられた取鍋吊上げ用の吊ビームと、該吊ビームに設置された集塵機と、前記吊ビームのフックに吊下げられた取鍋の上方空間を覆う形状の集塵カバーと、前記集塵機に接続され、前記集塵カバー内の粉塵を吸うように設けられたダクトとからなることを特徴とする。
請求項２の取鍋用集塵装置は、天井クレーンのトロリーに設置された第１のロープ巻取装置によって吊下げられた取鍋吊上げ用の第１吊ビームと、前記トロリーに設置された第２のロープ巻取装置によって吊下げられた集塵機用の第２吊ビームと、前記第１吊ビームのフックに吊下げられた取鍋の上方空間を覆う形状の集塵カバーと、前記第２ビームに設置された集塵機と、前記集塵機に接続され、前記集塵カバー内の粉塵を吸うように設けられたダクトとからなることを特徴とする。
請求項３の取鍋用集塵装置は、請求項１または３記載の発明において、前記集塵カバーが、取鍋吊下げ用の吊ビームに上端が取付けられ、下向きに伸縮自在な側面カバーと、該側面カバーの下端に連結されたロープを巻取るロープ巻取装置とからなることを特徴とする。
請求項４の取鍋用集塵装置は、請求項３記載の発明において、前記側面カバーが、蛇腹式カバーであることを特徴とする。
【０００６】
請求項１の発明によれば、天井クレーンのトロリーから吊下げられた吊ビームにより運搬される取鍋から発生する粉塵は集塵カバーによって集められ、ダクトを経て吊ビーム上の集塵機に集められる。この間、取鍋が昇降しても集塵カバーは伸縮自在なので、粉塵が周囲に漏れることはない。そして、集塵機やダクト等は吊ビームと共に移動するので、取鍋から離れることはなく、よって、常時集塵して周辺に粉塵を拡散することを防止できる。また、集塵機は、吊ビームとともに昇降するので、その保守保全の際には、地上におろして、メンテナンス作業を地上で安全かつ容易に行うことができる。
請求項２の発明によれば、天井クレーンのトロリーから吊下げられた吊ビームにより運搬される取鍋から発生する粉塵は集塵カバーによって集められ、ダクトを経て吊ビーム上の集塵機に集められる。この間、取鍋が昇降しても集塵カバーは伸縮自在なので、粉塵が周囲に漏れることはない。そして、集塵機やダクト等は吊ビームと共に移動するので、取鍋から離れることはなく、よって、常時集塵して周辺に粉塵を拡散することを防止できる。また、集塵機は、吊ビームとともに昇降するので、その保守保全の際には、地上におろして、メンテナンス作業を地上で安全かつ容易に行うことができる。
請求項３の発明によれば、集塵カバーの側面カバーが伸び縮みし、伸縮装置によって伸縮させうるので、取鍋の傾転動作に合わせて側面カバーの下端を上げ下げして、集塵効果を高めながら、取鍋の扱いの邪魔にならないようにすることができる。
請求項４の発明によれば、側面カバーが蛇腹構造により伸縮するので、取鍋の傾転動作に合わせて側面カバーの下端を上げ下げして、集塵効果を高めながら、取鍋の扱いの邪魔にならないようにすることができる。また、蛇腹構造は簡単なので、製作コストが安くつく。
【０００７】
【発明の実施の形態】
つぎに、本発明の実施形態を図面に基づき説明する。
まず、第１実施形態の取鍋用集塵装置について説明する。
図１は第１実施形態の取鍋用集塵装置の側面図である。図２は図１のＡ−Ａ  線矢視図である。図１および図２において、１は天井クレーンであり、建屋内において紙面に直交する方向に走行する公知のものである。２は天井クレーン１上で横行するトロリーである。このトロリー２上にはロープ巻取装置４１が設置されている。このロープ巻取装置４１のドラム４１ｄ  から繰出された４本のロープ４２の遊端は、取鍋１０吊上げ用の吊ビーム４０の四角にそれぞれ連結されている。このためロープ巻取装置４１を巻上げ巻下げ駆動すると、吊ビーム４０が水平に保たれて昇降させられる。
【０００８】
前記吊ビーム４０の下面には、フック４０ｆ  の上端が揺動自在に取り付けられている。このフック４０ｆ  には取鍋１０が吊り下げられている。このため、取鍋１０は、フック４０ｆ  の上端を支点として傾転可能である。
【０００９】
また、前記吊ビーム４０には、取鍋１０の上方空間を覆う形状の集塵カバー１１が取付けられている。この集塵カバー１１は、側面カバー１３と側面カバー用ロープ巻取装置２５とから構成されている。
側面カバー１３は、上端が前記吊ビーム４０の下面に固定されている。この側面カバー１３は、蛇腹構造をしており、下向きに伸縮自在である。
側面カバー用ロープ巻取装置２５は、吊ビーム４０上に４台設置されており、いずれも同一構造で、モータと減速機とドラムとからなり、同期して４本のロープ２６を巻取り巻戻すことができる。このロープ２６の遊端は吊ビーム４０を通して、側面カバー１３の下端適所にそれぞれ連結されている。
このため、側面カバー用ロープ巻取装置２５を駆動し、ロープ２６を巻取り、あるいは繰り出すことで、側面カバー１３の下端を上げ下げすることができる。
【００１０】
よって、集塵カバー１１によれば、集塵カバー１１の側面カバー１３が伸び縮みし、側面カバー用ロープ巻取装置２５によって伸縮させうるので、取鍋１０の傾転動作に合わせて側面カバー１３の下端を上げ下げして、集塵効果を高めながら、取鍋１０の扱いの邪魔にならないようにすることができる。
【００１１】
また、前記吊ビーム４０上には、４つの集塵機８が設置されている。この集塵機８は公知のもので、その吸引口には、４つの固定ダクト４９の一端がそれぞれ接続されている。各固定ダクト４９の他端は、吊ビーム４０の開口４０ａ  にそれぞれ取り付けられている。このため、集塵機８によって集塵カバー１１の側面カバー１３内の粉塵を吸引除去することができる。
【００１２】
つぎに、第１実施形態の取鍋用集塵装置１の作用と効果を説明する。
まず、取鍋１０をフック４０ｆ  に掛けるときは、集塵カバー１１の側面カバー１３を上昇させておけば、取鍋１０をフック４０ｆ  に掛けるときに側面カバー１３が邪魔にならない。
【００１３】
取鍋１０をフック４０ｆ  に掛けて、天井クレーン１およびトロリー２によって取鍋１０を所望の位置まで移動させるときには、側面カバー１３を伸ばしておけば、取鍋１０の移動中も、取鍋１０から発生する粉塵を側面カバー１３によって集め、集塵機８によって集めることができる。
【００１４】
また、取鍋１０を傾転させて取鍋１０内の溶銑を注湯するときは、取鍋１０の傾きにあわせて、側面カバー１３を伸縮させれば、側面カバー１３が注湯作業の邪魔にならず、しかも、取鍋１０から発生する粉塵を注湯作業中でも側面カバー１３によって集めることができる。
【００１５】
したがって、第１実施形態の取鍋用集塵装置によれば、天井クレーン１のトロリー２から吊下げられた吊ビーム４０により運搬される取鍋１０から発生する粉塵は集塵カバー１１によって集められ、固定ダクト４９を経て吊ビーム４０上の集塵機８に集められる。この間、取鍋１０が昇降しても集塵カバー１１は伸縮自在なので、粉塵が周囲に漏れることはない。そして、集塵機８や固定ダクト４９等は吊ビーム４０と共に移動するので、取鍋１０から離れることはなく、よって、常時集塵して周辺に粉塵を拡散することを防止できる。
【００１６】
また、集塵機８は吊ビーム４０とともに昇降するので、その保守保全の際には、地上におろして、メンテナンス作業を地上で安全かつ容易に行うことができる。
【００１７】
つぎに、第２実施形態の取鍋用集塵装置について説明する。
第２実施形態の取鍋用集塵装置は、第１実施形態の取鍋用集塵装置が取鍋１０吊上げ用の吊ビーム４０上に集塵機８を設けたのに対し、取鍋１０吊上げ用の第１吊ビーム５に加えて第２吊りビーム３０を設け、この第２吊りビーム３０上に集塵機８を設置したことが特徴である。
【００１８】
図３は第２実施形態の取鍋用集塵装置の側面図であり、図４は第２実施形態の取鍋用集塵装置の平面図であり、図５は図３のＢ−Ｂ  線矢視図である。図３〜図５に示すように、トロリー２上には第１のロープ巻取装置３が設置されている。この第１のロープ巻取装置３のドラム３ｄから繰出されたロープ４は、取鍋１０吊上げ用の第１吊ビーム５に設けられたガイドシーブ６とトロリー２上のガイドシーブ７に巻き掛けられている。このため、第１のロープ巻取装置３を巻上げ巻下げ駆動すると、第１吊ビーム５が昇降させられる。
【００１９】
この第１吊ビーム５には、第１実施形態の吊ビーム４０と同様に、フック５ｆによって取鍋１０が吊り下げられており、側面カバー１３と側面カバー用ロープ巻取装置２５とから構成された取鍋１０の上方空間を覆う形状の集塵カバー１１が取付けられている。
【００２０】
また、トロリー２と第１吊ビーム５との間には、集塵機８用の第２吊ビーム３０が設けられている。この第２吊ビーム３０の四角には、トロリー２上に設けられた第２のロープ巻取装置３１のドラム３１ｄ  から繰出された４本のロープ３２の遊端がそれぞれ連結されている。この第２のロープ巻取装置３１は、前記第１のロープ巻取装置３と同期して、４本のロープ３２を巻取ったり、繰り出したりするものである。このため、第２吊ビーム３０は、第１吊ビーム５と一定の間隔に保ったまま、第１吊ビーム５と同時に昇降される。
【００２１】
前記第２吊ビーム３０上には、４つの集塵機８が設置されている。この集塵機８は公知のもので、その吸引口には、４つのダクト１５の一端がそれぞれ接続されている。各ダクト１５の他端は、第１吊ビーム５の開口５ａにそれぞれ取り付けられている。このため、集塵機８によって集塵カバー１１の側面カバー１３内の粉塵を吸引除去することができる。
しかも、第１吊ビーム５と第２吊ビーム３０は、両者の間を一定の間隔に保ったまま、両吊ビームが同時に昇降されるので、ダクト１５と第１吊ビーム５の開口５ａとの間に隙間ができることがない。
【００２２】
上記のごとく、第２実施形態の取鍋用集塵装置によれば、天井クレーン１のトロリー２から吊下げられた第１吊ビーム５により運搬される取鍋１０から発生する粉塵は集塵カバー１１によって集められ、ダクト１５を経て第２吊ビーム３０上の集塵機８に集められる。この間、取鍋１０が昇降しても集塵カバー１１は伸縮自在なので、粉塵が周囲に漏れることはない。そして、集塵機８やダクト１５等は各吊ビーム５，３０と共に移動するので、取鍋１０から離れることはなく、よって、常時集塵して周辺に粉塵を拡散することを防止できる。
【００２３】
また、集塵機８は、各吊ビーム５、３０とともに昇降するので、その保守保全の際には、地上においてメンテナンス作業を地上で安全かつ容易に行うことができる。
【００２４】
【発明の効果】
請求項１の発明によれば、天井クレーンのトロリーから吊下げられた吊ビームにより運搬される取鍋から発生する粉塵は集塵カバーによって集められ、ダクトを経て吊ビーム上の集塵機に集められる。この間、取鍋が昇降しても集塵カバーは伸縮自在なので、粉塵が周囲に漏れることはない。そして、集塵機やダクト等は吊ビームと共に移動するので、取鍋から離れることはなく、よって、常時集塵して周辺に粉塵を拡散することを防止できる。また、集塵機は、吊ビームとともに昇降するので、その保守保全の際には、地上におろして、メンテナンス作業を地上で安全かつ容易に行うことができる。
請求項２の発明によれば、天井クレーンのトロリーから吊下げられた吊ビームにより運搬される取鍋から発生する粉塵は集塵カバーによって集められ、ダクトを経て吊ビーム上の集塵機に集められる。この間、取鍋が昇降しても集塵カバーは伸縮自在なので、粉塵が周囲に漏れることはない。そして、集塵機やダクト等は吊ビームと共に移動するので、取鍋から離れることはなく、よって、常時集塵して周辺に粉塵を拡散することを防止できる。また、集塵機は、吊ビームとともに昇降するので、その保守保全の際には、地上におろして、メンテナンス作業を地上で安全かつ容易に行うことができる。
請求項３の発明によれば、集塵カバーの側面カバーが伸び縮みし、伸縮装置によって伸縮させうるので、取鍋の傾転動作に合わせて側面カバーの下端を上げ下げして、集塵効果を高めながら、取鍋の扱いの邪魔にならないようにすることができる。
請求項４の発明によれば、側面カバーが蛇腹構造により伸縮するので、取鍋の傾転動作に合わせて側面カバーの下端を上げ下げして、集塵効果を高めながら、取鍋の扱いの邪魔にならないようにすることができる。また、蛇腹構造は簡単なので、製作コストが安くつく。
【図面の簡単な説明】
【図１】第１実施形態の取鍋用集塵装置の側面図である。
【図２】図１のＡ−Ａ  線矢視図である。
【図３】第２実施形態の取鍋用集塵装置の側面図である。
【図４】第２実施形態の取鍋用集塵装置の平面図である。
【図５】図３のＢ−Ｂ  線矢視図である。
【符号の説明】
１      天井クレーン
２            トロリー
３            第１のロープ巻取装置
５            第１吊ビーム
５ｆ        フック
８            集塵機
１０        取鍋
１１        集塵カバー
１３        側面カバー
１５        ダクト
２５        側面カバー用ロープ巻取装置
２６        ロープ
３０        第２吊ビーム
３１        第２のロープ巻取装置
３２        ロープ
４０        吊ビーム
４０ｆ    フック
４１        ロープ巻取装置
４２        ロープ
４９    固定ダクト
【図１】
0003595257.tif 000002
【図２】
0003595257.tif 000003
【図３】
0003595257.tif 000004
【図４】
0003595257.tif 000005
【図５】
0003595257.tif 000006